(57)【要約】【課題】熱変色性インキを有する筆記具において、筆記部を確実に消去体内に収納させることにより、変色時に滑らせて筆記具を誤って落下しても筆記部を傷つけることがない筆記具を提供する。【解決手段】軸筒２と、前端に消去部４ａを有する筒形状の消去体４であって、軸筒内に長手方向に移動可能に配置された消去体４と、消去体４内に配置され、前端に筆記部３ａを有する筆記体３であって、筆記部３ａが軸筒２の前端から突出した状態で軸筒２に固定された筆記体３と、消去体４を移動させ、消去体４の消去部４ａを突出させた消去状態と、消去部４ａを後退させた筆記状態との間で切り替える操作部５と、を具備することを特徴とする筆記具１による。【選択図】図１
2015134470.tif 000002
【特許請求の範囲】
【請求項１】
軸筒と、
前端に消去部を有する筒形状の消去体であって、前記軸筒内に長手方向に移動可能に配置された消去体と、
該消去体内に配置され、前端に筆記部を有する筆記体であって、前記筆記部が前記軸筒の前端から突出した状態で前記軸筒に固定された筆記体と、
前記消去体を移動させ、該消去体の前記消去部を突出させた消去状態と、前記消去部を後退させた筆記状態との間で切り替える操作部と、
を具備することを特徴とする筆記具。
【請求項２】
前記軸筒の後端に操作部を設けたことを特徴とする請求項１に記載の筆記具。
【請求項３】
前記軸筒の内部において前方と後方とを隔離する壁部が設けられており、
前記筆記体の後端が、前記壁部に当接して固定されたことを特徴とする請求項１又は請求項２に記載の筆記具。
【請求項４】
前記壁部が、該壁部の前面から前方へと突出する嵌合部を有し、
該嵌合部が前記筆記体の後端と嵌合することによって、前記筆記体が固定されることを特徴とする請求項３に記載の筆記具。
【請求項５】
前記壁部において、前記軸筒の中心軸線と同心の円弧状に形成され且つ周方向に沿って等間隔に配置された前後に貫通する孔が設けられており、
前記消去体が、該消去体の後端において、周方向に沿って形成され且つ軸線方向に延びるスリットによって画成された割れ板を有する割れ板部を形成し、
前記割れ板部が、前記孔に挿入されるように配置されることを特徴とする請求項３又は４に記載の筆記具。
【発明の詳細な説明】
【技術分野】
【０００１】
本発明は、消去部材を備えた筆記具、特に熱変色性インクによる筆跡を擦過して変色又は消色する消去部材を備えた筆記具に関する。
【背景技術】
【０００２】
消しゴム付き鉛筆のように、筆記具によって筆記面等に描かれた筆跡をその筆記具に備わる消去部材によって消去可能とする構成が周知である。特に、熱変色性インクを収容する熱変色性筆記具においては、消去部材として、筆跡を擦過し摩擦熱を生じさせる摩擦体を備えた構成が公知である（特許文献１）。
【０００３】
特許文献１に記載の熱変色性の筆記具は、いわゆるノック式の筆記具であり、軸筒の後端に摩擦部が設けられている。したがって、筆記具を回転させて持ち替えて擦過動作を行うことにより、簡単に筆跡を変色又は消色させることができる。
【先行技術文献】
【特許文献】
【０００４】
【特許文献１】国際公開第２００８／１０５２２７号
【発明の概要】
【発明が解決しようとする課題】
【０００５】
上述したように、特許文献１に記載の熱変色性の筆記具は、筆記部を突出させた状態のまま筆記具を回転させて持ち替え、軸筒の後端の摩擦体を用いて筆跡を変色又は消色させることができる。しかしながら、擦過動作の際、一般的には筆記具に対して筆記時よりも力を紙面等にかけることが多く、弾みで筆記具を滑らせ落下させてしまうことで、筆記部を傷つけてしまい、時として筆記が不可能になってしまうことがある。
【０００６】
そこで、本発明は、筆記部を確実に収納することにより、擦過時に滑らせて筆記具を誤って落下させても筆記部を傷つけることがない筆記具を提供することを目的とする。また、筆記具がボールペンである場合においては、筆記部をノック操作によって繰り出す必要がないことにより、ノック操作による筆記体であるリフィルへの衝撃を緩和し且つ筆跡の掠れの発生を防ぐことのできる筆記具を提供することを目的とする。
【課題を解決するための手段】
【０００７】
請求項１に記載の発明によれば、軸筒と、前端に消去部を有する筒形状の消去体であって、前記軸筒内に長手方向に移動可能に配置された消去体と、該消去体内に配置され、前端に筆記部を有する筆記体であって、前記筆記部が前記軸筒の前端から突出した状態で前記軸筒に固定された筆記体と、前記消去体を移動させ、該消去体の前記消去部を突出させた消去状態と、前記消去部を後退させた筆記状態との間で切り替える操作部と、を具備することを特徴とする筆記具が提供される。
【０００８】
請求項２に記載の発明によれば、前記軸筒の後端に操作部を設けたことを特徴とする筆記具が提供される。
【０００９】
請求項３に記載の発明によれば、前記軸筒の内部において前方と後方とを隔離する壁部が設けられており、前記筆記体の後端が、前記壁部に当接して固定されたことを特徴とする筆記具が提供される。
【００１０】
請求項４に記載の発明によれば、前記壁部が、該壁部の前面から前方へと突出する嵌合部を有し、該嵌合部が前記筆記体の後端と嵌合することによって、前記筆記体が固定されることを特徴とする筆記具が提供される。
【００１１】
請求項５に記載の発明によれば、前記壁部において、前記軸筒の中心軸線と同心の円弧状に形成され且つ周方向に沿って等間隔に配置された前後に貫通する孔が設けられており、前記消去体が、該消去体の後端において、周方向に沿って形成され且つ軸線方向に延びるスリットによって画成された割れ板を有する割れ板部を形成し、前記割れ板部が、前記孔に挿入されるように配置されることを特徴とする筆記具が提供される。
【発明の効果】
【００１２】
各請求項に記載の発明によれば、筆記部を確実に消去体内に収納させることにより、変色時に滑らせて筆記具を誤って落下しても筆記部を傷つけることがない筆記具を提供することができる。また、各請求項に記載の発明によれば、筆記具がボールペンである場合においては、筆記部をノック操作によって繰り出す必要がないことにより、ノック操作による筆記体であるリフィルへの衝撃を緩和し且つ筆跡の掠れの発生を防ぐことができるという効果を奏する。
【図面の簡単な説明】
【００１３】
【図１】本発明に係る筆記具の消去状態における縦断面図である。
【図２】図１の筆記具の消去状態における正面図である。
【図３】図１の筆記具の筆記状態における縦断面図である。
【図４】図１の筆記具の筆記状態における正面図である。
【図５】図１の筆記具の後軸の縦断面図である。
【図６】図５の後軸の底面図である。
【図７】図１の筆記具の消去体の斜視図である。
【図８】図７の消去体の縦断面図である。
【発明を実施するための形態】
【００１４】
以下、図面を参照しながら本発明の実施の形態を詳細に説明する。全図面に渡り、対応する構成要素には共通の参照符号を付す。
【００１５】
図１は本発明に係る筆記具１の消去状態における縦断面図であり、図２は図１の筆記具１の消去状態における正面図であり、図３は図１の筆記具１の筆記状態における縦断面図であり、図４は図１の筆記具の筆記状態における正面図である。
【００１６】
筆記具１は、筒形状に形成された軸筒２と、軸筒２内で固定され筆記部３ａを前端に有する筆記体であるリフィル３と、軸筒２内に配置され且つ筆記具１による筆跡を消去するための消去部４ａを前端に有した消去体４と、消去体４を筆記具１の長手方向に移動させるための操作部５と、軸筒２の後端に配置された内筒６と、を有する。
【００１７】
本明細書では、筆記具１の長手方向において、筆記部３ａ側を「前」側と規定し、筆記部３ａとは反対側を「後」側と規定する。
【００１８】
図１において、軸筒２は、先軸２aと後軸２ｂとを有している。先軸２aは前側に位置し、後軸２ｂは後側に位置する。先軸２ａ及び後軸２ｂは、それぞれの螺合部７ａ及び７ｂで互いに螺合させることによって結合される。結合はねじ結合によるものであるが、その他の結合方法であってもよい。後述するように、後軸２ｂの内部には当接壁８が形成され、当接壁８の前面には、前方へと突出する嵌合部９が形成されている。
【００１９】
筆記具の後端、すなわち後軸２ｂの後端には、ノック機構が構成され、消去体４は、ノック機構によって前後に移動する。ここで、消去部４ａが前方に突出した状態を消去状態（図１及び図２）と称し、消去部４ａが後方に後退した状態を筆記状態（図３及び図４）と称す。
【００２０】
図５は、図１の筆記具１の後軸２ｂの縦断面図であり、この図において下側が筆記部３ａ側（前側）となる。また、図６は、図５の後軸２ｂの底面図である。後軸２ｂの内部の当接壁８は、前方と後方とを隔離するように設けられている。また、当接壁８には、前後に貫通する３つの回転防止孔１０ａが設けられている。回転防止孔１０ａは、後軸２ｂの中心軸線と同心の円弧状に形成され、周方向に沿って等間隔に配置されている。嵌合部９は、後軸２ｂの中心軸線と同心の円筒形状であり、当接壁８の前面から前方へと突出する。嵌合部９は、周囲を３つの回転防止孔１０ａによって包囲されている。後軸２ｂの前部には、ねじ加工が施された後軸側螺合部７ｂが形成されており、先軸２ａの後部に形成された先軸側螺合部７ａに対して螺合される。
【００２１】
図７は、図１の筆記具１の消去体４の斜視図であり、図８は、図７の消去体４の縦断面図である。消去体４は、全体として筒形状であり、その内部は前端から後端まで貫通している。消去体４の前部は、その後方の部分よりも外径が小さく、そのため境界部分において段差部４ｂが形成されている。消去体４の前端面、すなわち消去部４ａの前端面の周縁部は、テーパ形状を形成する。別の実施形態として、この周縁部は、テーパ形状を形成せずに、消去体の前端面に対して垂直な円筒側面であってもよく、或いは、丸み部を形成してもよい。消去体４の後端には、周方向に沿って等間隔に形成され且つ軸線方向に延びる３つスリットによって画成された３つの割れ板を有する割れ板部１０ｂが形成されている。割れ板の各々の大きさ及び配置は、図６に示された３つの回転防止孔１０ａの各々へと挿入可能に構成されている。
【００２２】
後軸２ｂの当接壁８の嵌合部９は、その円筒形状の内部において、リフィル３の後端における円筒形状の外部を、圧入による挿入によって受容する。それによってリフィル３は、軸筒２内において、消去体４の内部に配置された状態で、後端を嵌合部９に結合されて固定される。この状態においてリフィル３の前端の筆記部３ａは、先軸２ａの先端から突出している。なお、嵌合部９と、リフィル３との結合方法は、圧入以外、例えば螺合による方法であってもよい。
【００２３】
消去体４は、軸筒２内において、消去体４の後端にある割れ板部１０ｂを、後軸２ｂの当接壁８に設けられた回転防止孔１０ａに挿入されて配置される。消去体４の段差部４ｂは、スプリング１２の後端に当接され、スプリング１２によって後方へと付勢される。その付勢力は、消去体４を介してノック機構を構成する回転子１１を後方へ付勢する。スプリング１２の先端は先軸２ａの内部壁面に当接する。
【００２４】
後軸２ｂの後端に配置された内筒６の内面には、径方向内側に突出し且つ筆記具１の長手方向に沿って延びる複数のカム部６ａが、周方向に沿って等間隔に形成されている。軸筒２を構成する先軸２ａ、後軸２ｂ、及び、内筒６は、例えばポリカーボネート樹脂等といった比較的硬質の樹脂材料から形成されている。
【００２５】
ノック機構は、内筒６内に前後方向に移動可能に配置された回転子１１と、内筒６内に後端から突出して且つ前後方向に移動可能な操作部５と、を有する公知の機構である。前述したように、ノック機構はスプリング１２によって付勢された消去体４を介して後方へ付勢されている。ノック操作は、操作部５を前方に向かって押圧することによって行われる。
【００２６】
ノック操作を行うと、操作部５の移動によって回転子１１が前方へ押圧され、回転子１１と内筒６のカム部６ａの前端面とが係止し、筆記具１は消去状態（図１及び図２）を維持する。再びノック操作を行うと、操作部５の移動によって回転子１１が前方へ押圧され、回転子１１と内筒６のカム部６ａの前端面との係止が解除される。このため、スプリング１２の付勢力によってノック機構が後方へ移動し、筆記具１は筆記状態（図３及び図４）となる。
【００２７】
言い換えると、筆記具１は、消去体４が軸筒２内に前後方向に移動可能に配置され、消去部４ａの前端が、固定されたリフィル３の筆記部３ａの前端よりも前方へ突出した消去状態と、消去部４ａの前端が筆記部３ａの前端よりも後方へ後退した筆記状態とを、操作部５のノック操作によって切り替えられる。別の実施形態として、操作部５は、後軸２ｂの後端以外の場所に設けられてもよい。
【００２８】
回転子１１は、前端において消去体４の後端、すなわち割れ板部１０ｂの後端と当接しているため、ノック操作を行うと、消去体４は、回転する回転子１１と共に、前後に移動される。その際、３つの割れ板部１０ｂのそれぞれは、３つの回転防止孔１０ａのそれぞれに挿入されたまま前後に移動する。したがって、消去体４との当接面における、回転子１１からの摩擦力による回転運動の伝達は、割れ板部１０ｂと回転防止孔１０ａとの周方向の係合によって防止され、回転子１１の前後への移動運動のみが伝達されるという効果を奏する。別の実施形態として、こうした回転を防止する機構を設けずに消去体４を回転させるように構成してもよい。
【００２９】
消去体４が前方に突出した消去状態（図１及び図２）において、消去部４ａは、筆記部３ａを完全に覆ってもよく、擦過動作が可能な範囲内において筆記部３ａの一部が消去部４ａの前端から突出してもよい。
【００３０】
好適には、消去状態（図１及び図２）において、消去体４の消去部４ａの内部の空洞部の壁面と、リフィル３の筆記部３ａを含む先端部とは、接触せずに離間されており、したがって、消去部４ａによって擦過動作を行っても擦過動作の衝撃が筆記部３ａに伝わることはなく、筆記部３ａの損傷を防ぐことができる。
【００３１】
リフィル３（リフィル）として、熱変色インクを収容したボールペン、熱変色芯を収容したシャープペンシル、鉛筆ホルダ等を使用することができる。本実施形態におけるリフィル３は、熱変色性インクを収容する。したがって、筆記具１は熱変色性筆記具であり、消去部４ａによって擦過した際に生じる摩擦熱によって、筆記具１の筆跡を熱変色可能である。
【００３２】
熱変色性インクとは、常温（例えば２５℃）で所定の色彩（第１色）を維持し、所定温度（例えば６０℃）まで昇温させると別の色彩（第２色）へと変化し、その後、所定温度（例えば−５℃）まで冷却させると、再び元の色彩（第１色）へと復帰する性質を有するインクを言う。熱変色性インクを用いた筆記具１では上記第２色を無色とし、第１色（例えば赤）で筆記した描線を昇温させて無色とすることを、ここでは「消去する」ということとする。したがって、描線が筆記された筆記面等に対して摩擦体としての消去部４ａによって擦過して摩擦熱を生じさせ、それによって描線を無色に変化、すなわち消去させる。なお、当然のことながら上記第２色は、無色以外の有色でもよい。
【００３３】
消去部４ａを形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといったゴム弾性材料、２種以上のゴム弾性材料の混合物、及び、ゴム弾性材料と合成樹脂との混合物、市販されている消しゴム等が挙げられる。消去部４ａは、特にポリプロピレン樹脂及びスチレン系熱可塑性エラストマーの混合物、またはポリプロピレン樹脂及びポリプロピレン系熱可塑性エラストマーの混合物から形成され、その配合比率がそれぞれ重量比で１：１〜１：４であり、研磨剤、可塑剤、充填剤を含有せず、ＪＩＳ  Ｋ６２５１に規定されたデュロメータ硬度Ａが７０°〜１００°となる材質からなり、ＪＩＳ  Ｓ  ６０５０−２００２に規定する鉛筆描線の消し能力（消字率）が７０％以下のものである可塑剤を含有しない材料から形成される。それによって、消去部４ａは、擦過時に消しカスが生じにくく、熱変色性も優れているので有効である。
【００３４】
なお、本発明における「消去」とは、上記熱変色性インクを用いた場合以外にも、筆記した描線、文字等を消しゴム等の消去部材で吸着又は削ぎ落とすことをいう。したがって、本発明は、筆記した描線を、消去部を用いて消去する任意の筆記具にも適用可能である。
【００３５】
消去体４は、消去部４ａとそれ以外の部分とで異なる材料等による二色成形等によって一体成形としてもよく、また同種材料による一体成形としてもよい。消去体４は、ノック動作を安定的に支持するために、消去部４ａ以外の部分をポリアセタールやＡＢＳ等の硬質プラスチック樹脂から形成してもよい。
【００３６】
次に、筆記具１の使用方法について説明する。筆記具で筆記をするためには、操作部５のノック操作によって消去体４を後退させた筆記状態とし、一方の手で筆記具を把持し、通常の筆記具と同様に筆記動作が可能となる。筆記状態から消去状態へと切り替えるためには、筆記状態における筆記具を把持したまま、すなわち、筆記部３ａを下にしたまま、親指で操作部５をノック操作し、消去部４ａを突出させて消去状態とし、擦過動作を行い、筆跡を消去する。
【００３７】
したがって筆記状態から消去状態へと切り替えるために、筆記具の後端を下にするべく回転させて持ち替える必要がなく、筆記具を回転させる際等に弾みで筆記具を滑らせて落下し、筆記部を傷つけて筆記不可能としてしまう事態を回避するという効果を奏する。さらに筆記具がボールペンである場合において、本発明に係る筆記具１は、筆記部３ａをノック操作によって繰り出す必要がないため、ノック操作によるリフィルへの衝撃を緩和し、筆跡の掠れの発生を防ぐという効果を奏する。
【符号の説明】
【００３８】
１    筆記具
２    軸筒
２ａ    先軸
２ｂ    後軸
３    リフィル
３ａ    筆記部
４    消去体
４ａ    消去部
４ｂ    段差部
５    操作部
６    内筒
６ａ    カム部
７    螺合部
７ａ    先軸側螺合部
７ｂ    後軸側螺合部
８    当接壁
９    嵌合部
１０ａ    回転防止孔
１０ｂ    割れ板部
１１    回転子
１２    スプリング
【図１】
2015134470.tif 000003
【図２】
2015134470.tif 000004
【図３】
2015134470.tif 000005
【図４】
2015134470.tif 000006
【図５】
2015134470.tif 000007
【図６】
2015134470.tif 000008
【図７】
2015134470.tif 000009
【図８】
2015134470.tif 000010